(57)【要約】      （修正有）【課題】使用者の合掌姿の優雅さや美しさが自然に醸し出されて見栄えがよくなり、しかも、縁起物としての特徴的な形態が付与される数珠を提供する。【解決手段】数珠輪１の親珠３から引き出した紐４に結び目７を形成し、その結び目７に正面からは十字形に見え、背面からは井桁形に見える叶結びを採用する。紐４に組紐を用いる。紐４の端部に房６を連結し、結び目７を親珠３と房６との間に位置させてもよい。【選択図】図１
0003184566.tif 000002
【実用新案登録請求の範囲】
【請求項１】
数珠輪の親珠を通して引き出された紐に結び目が形成されていて、その結び目に叶結びが採用されていることを特徴とする数珠。
【請求項２】
上記紐が組紐でなり、その紐の端部に房が連結されていると共に、上記結び目が上記親珠と上記房との間に位置している請求項１に記載した数珠。
【請求項３】
請求項１または請求項２記載の数珠が数珠ブレスレット（腕珠）として形成された数珠。
【考案の詳細な説明】
【技術分野】
【０００１】
本考案は、数珠、特に使用時の優雅さや美しさを表現するための対策や、縁起物としての価値が高まる対策の講じられた数珠に関する。
【背景技術】
【０００２】
法具（仏具）の１つとして知られている数珠は「珠数」又は「念珠」とも呼ばれていて、多くの珠に紐（糸）を通して数珠輪が形成され、その数珠輪の多くの珠群の中の基となる珠、すなわち親珠から引き出された紐に記子珠（ぼさ）を通している。また、記子珠に通した紐に房を具備させたものもある。そして、葬式や法事、墓参りなどの仏事に際して、一般的には、片手又は両手の指を数珠輪に通し、その数珠輪を人差し指と親指との間に挟んで合掌する、といった使い方が行われている。
【０００３】
このような数珠の一般的な形状や構成は先行例により周知である（たとえば、特許文献１参照）。そして、特許文献１には、数珠が普段用や儀式用に使い分けられることや、数珠の房をカラフルにして装飾性を付与すること、などについての記述があるほか、１つの数珠輪に対して色などの異なる複数の房を付け替えられるようにすることについての記述もある。
【先行技術文献】
【特許文献】
【０００４】
【特許文献１】実用新案登録第３１０２９５５号公報
【考案の概要】
【考案が解決しようとする課題】
【０００５】
しかしながら、特許文献１によって示されている数珠は、普段用や儀式用に使い分けることを意図していて、房をカラフルにするなどして装飾性を付与しようとしているものである。
【０００６】
そこで、本考案は、ただ単なる装飾性の付与された数珠を提供することだけにとどまらず、使用者が仏事に際して通常の使用形態で数珠を使用して合掌するときに、使用者の合掌姿の優雅さや美しさがさりげなく自然に醸し出されて見栄えがよくなるだけでなく、縁起物としての特徴的な形態が付与されるように工夫した数珠を提供することを目的とする。
【課題を解決するための手段】
【０００７】
本考案に係る数珠は、数珠輪の親珠を通して引き出された紐に結び目が形成されていて、その結び目に叶結びが採用されている。この構成を採用した数珠では、親珠から引き出された紐の結び目に叶結びを採用したことにより、使用者が通常の使用形態で数珠を使用して合掌するときに、叶結びによって形成された結び目が数珠全体の見栄えを高めることに役立ち、使用者の合掌姿の優雅さや美しさがさりげなく自然に醸し出されるようになる。しかも、結び目としての叶結びが、その称呼から「願いが叶う」結び目、というような語呂を生じることなどによって縁起のよい結び目として認知されているため、縁起ものとしての数珠の価値を高めることにも役立つ。
【０００８】
本考案では、上記紐に組紐を採用することが可能である。また、数珠輪の親珠を通して引き出された上記紐の端部に房が連結されていると共に、上記結び目が上記親珠と上記房との間に位置している、という構成を採用することも可能である。この構成を採用すると、組紐自体に備わっている雅びな装飾性や、房に備わっている優雅な装飾性などが、結び目としての叶結びに備わっている優雅さや美しさと融合し、全体として装飾性のきわめて高い数珠を提供することが可能になる。
【考案の効果】
【０００９】
以上のように、本考案に係る数珠によれば、数珠輪の親珠を通して引き出された紐に形成された結び目が叶結びになっていることにより、その結び目が数珠全体の見栄えを高めることに役立ち、使用者の合掌姿の優雅さや美しさをさりげなく自然に醸し出すようになる。しかも、それだけにとどまらず、結び目としての叶結びによって、縁起ものとしての数珠の価値が高まるようになる。さらに、紐に組紐を採用したり、紐の端部に房を連結したりすることによって、全体として装飾性のきわめて高い数珠を提供することが可能になる。
【図面の簡単な説明】
【００１０】
【図１】本考案の実施形態に係る数珠を一部省略して示した正面図である。
【図２】図１の要部の拡大図である。
【図３】図１の数珠を一部省略して示した背面図である。
【図４】図３の要部の拡大図である。
【考案を実施するための形態】
【００１１】
図１は本考案の実施形態に係る数珠を一部省略して示した正面図、図２は図１の要部の拡大図、図３は図１の数珠を一部省略して示した背面図、図４は図３の要部の拡大図である。
【００１２】
図１及び図３において、数珠輪１は、所要数ずつの親珠、主珠、二天珠などの珠２の貫通穴に糸束を挿通させて輪にすることによって形成されている。また、親珠３から組紐でなるそれ自体が装飾性を有する紐４が引き出されていて、その紐４を記子珠５に通している。そして、記子珠５から引き出された紐４の端部に房６が設けられている。図例では、房６が２つ設けられているけれども、房６は１つであってもよく、また、房６の形状は図例に限定されない。さらに、房６を省略することも可能である。
【００１３】
図１及び図３のように、親珠３や記子珠５から引き出されている紐４の中間部に結び目７が形成されていて、その結び目７が親珠３と房６との間に位置している。
【００１４】
結び目７には「叶結び」が採用されている。この「叶結び」は、正面（表）側からは図１又は図２のように十字形に見え、背面（裏）側からは図３又は図４のように井桁形に見えるという特徴を有していて、その結び目自体が優雅で伝統的な装飾性を発揮することで知られている。特に、この実施形態のように、結び目７としての叶結びを形成する紐に組紐が採用されていると、組紐自体に備わっている雅びな装飾性などが、結び目７としての叶結びに備わっている優雅さや美しさと融合し、数珠全体の装飾性がきわめて顕著に発揮されるようになる。さらに、結び目７としての叶結びが、その称呼から「願いが叶う」結び目、というような語呂を生じるために縁起のよい結び目として認知されていることから、その結び目７としての叶結びが、縁起ものとしての数珠の価値を高めることにも役立っている。したがって、この実施形態によると、数珠全体の見た目の装飾性や縁起物とのしての数珠の価値が顕著に高まるだけでなく、使用者の合掌姿の優雅さや美しさがさりげなく自然に醸し出されるようになる。
【００１５】
上記実施形態においては、数珠の通常の使用形態で使用する数珠、即ち、仏事に際して使用者が両手を合わせて合掌して使用する数珠について説明しているが、この数珠の径を小さく縮径して手首に装着できるようにした数珠ブレスレット（腕珠）として使用できるように構成したものであってもよく、その作用効果は同等である。
なお、本考案の数珠を数珠ブレスレット（腕珠）として構成するに際しては、数珠輪１に使用する紐４は、手首に装着し易いようにゴム紐を使用することが望ましい。
【符号の説明】
【００１６】
１  数珠輪
３  親珠
４  紐
６  房
７  結び目
【図１】
0003184566.tif 000003
【図２】
0003184566.tif 000004
【図３】
0003184566.tif 000005
【図４】
0003184566.tif 000006